(57)【要約】本発明は、WiFiネットワークシステムに関する。より具体的には、従来の1台のWiFi AP(Access Point)装置にあったデジタルネットワーク制御部であるDCU(Digital Network＆Control Unit)と無線信号伝送部であるwRU(WiFi Radio Unit)を分離して、それぞれのWiFi APにあった共通のDCUを一カ所の運営局舎に集中させ管理し、かつ、実際の無線信号が送受信される屋外及び屋内のWiFiサービスエリアにはwRUのみで対応を可能にすることにより、通信費負担の軽減と高品質の超高速無線通信を可能にする高密度ネットワーク環境のためのWiFiネットワークシステムに関する。このため、本発明は、デジタルコントローラ(Digital Controller)及びネットワーク・プロセッシング・ユニット(Network Processing Unit)を含むDNCU(Digital Networking＆Control Unit)と、WiFi無線送受信部(WiFi Radio)及びアンテナユニット(Antenna Unit)を含むwRSU(WiFi Radio Service Unit)が独立して分離されて有線で接続することを特徴とする。
2020526047.tif 000002
【特許請求の範囲】
【請求項１】
デジタルコントローラ(Digital Controller)及びネットワーク・プロセッシング・ユニット(Network Processing Unit)を含むDNCU(Digital Networking＆Control Unit)と、WiFi無線送受信部(WiFi Radio)及びアンテナユニット(Antenna Unit)を含むwRSU(WiFi Radio Service Unit)が独立して分離されて有線で接続することを特徴とする高密度ネットワーク環境のためのWiFiネットワークシステム。
【請求項２】
請求項1において、
上記DNCU及びwRSUの接続は、IEEE802.3プロトコル及びPCI(Peripheral Component Interconnect)プロトコルのいずれかを1つ以上含むことを特徴とする高密度ネットワーク環境のためのWiFiネットワークシステム。
【請求項３】
請求項1において、
上記DNCU及びwRSUは、光ケーブル、同軸ケーブル及びLANのケーブルからなる群から選択された少なくとも1つ以上に互いに接続されることを特徴とする高密度ネットワーク環境のためのWiFiネットワークシステム。
【請求項４】
請求項1において、
上記DNCUは、WiFi Driver、OS(Operating System)、TCP/IP及びアプリケーションのいずれか１つ以上が設置され、上記wRSUは、WiFi F/W(FirmWare)、DNCU及びインタフェースのためのプログラムが設置されることを特徴とする高密度ネットワーク環境のためのWiFiネットワークシステム。
【請求項５】
請求項1において、
上記DNCUは、wRSUの物理的な接続のためのwRSUインターフェース部と、wRSU及び上位網と通信時にデータの低遅延及び制御のための低遅延ネットワークスイッチ及び制御用のプロセス部と、上位網にデータを伝達するためのパケットコアネットワークインタフェース部を含むことを特徴とする高密度ネットワーク環境のためのWiFiネットワークシステム。
【請求項６】
請求項5において、
上記wRSUインターフェース部は、
上記wRSUと通信するための第1送受信機、
上記第1送受信機、低遅延ネットワークスイッチ及び制御用のプロセス部を接続させるための第1 PHY(Physical interface)を含むなることを特徴とする高密度ネットワーク環境のためのWiFiネットワークシステム。
【請求項７】
請求項5において、
上記低遅延ネットワークスイッチ及び制御用のプロセス部のファブリック容量は、wRSUのインタフェース容量の総計とパケットコアネットワークインターフェース部の処理容量を合わせたものよりも大きいことを特徴とする高密度ネットワーク環境のためのWiFiネットワークシステム。
【請求項８】
請求項5において、
上記パケットコアネットワークインターフェース部は、
上位網と通信するための第2送受信機と、
上記第2送受信機、低遅延ネットワークスイッチ及び制御用のプロセス部を接続するための第2 PHYを含むことを特徴とする高密度ネットワーク環境のためのWiFiネットワークシステム。
【請求項９】
請求項1において、
上記wRSUは、
上位網と通信する無線信号を処理するためのRF部と、上記RF部で変復調された信号をDNCUに伝送するPHY部を含むことを特徴とする高密度ネットワーク環境のためのWiFiネットワークシステム。
【請求項１０】
請求項9において、
上記PHY部は、IEEE802.3標準を使用するIEEE802.3 PHY部とPCI標準を使用するPCI PHY部に分けられることを特徴とする高密度ネットワーク環境のためのWiFiネットワークシステム。
【請求項１１】
請求項9または請求項10において、
上記RF部は、
アンプ及びフィルタが内蔵されたフロントエンドモジュールと、
上記アンテナユニットを介して信号を送受信する送受信RFモジュールと、
上記送受信RFモジュールから送信されるアナログ信号をデジタル信号に変換してPHY部送信し、PHY部から入力されるデジタル信号をアナログ信号に変換して送受信RFモジュールに伝送するベースバンドモデムを含むことを特徴とする高密度ネットワーク環境のためのWiFiネットワークシステム。
【請求項１２】
請求項1において、
上記DNCU及びwRSUは、IEEE802.3 PHYを使用したPHY to PHY方式と、IEEE802.3 PHY及びIEEE802.3 MACを使用したPHY to MAC方式と、IEEE802.3 MACを使用したMAC to MAC方式と、PCIe標準を含むPCIプロトコルを使用したPCI to PCI方式のうちの少なくともいずれか１つ以上によって互いに物理的に接続されることを特徴とする高密度ネットワーク環境のためのWiFiネットワークシステム。
【発明の詳細な説明】
【技術分野】
【０００１】
本発明は、WiFiネットワークシステムに関する。より具体的には、従来の1台のWiFi AP(Access Point)装置にあったデジタルネットワーク制御部であるDCU(Digital Network＆Control Unit)と無線信号伝送部であるwRU(WiFi Radio Unit)を分離して、それぞれのWiFi APにあった共通のDCUを一カ所の運営局舎に集中させ管理し、かつ、実際の無線信号が送受信される屋外及び屋内のWiFiサービスエリアにはwRUのみで対応を可能にすることにより、製品価格、通信網設備費、管理コストを減らすことができる。これにより、通信費負担を軽減し、かつ、超高速無線通信を可能にする高密度ネットワーク環境のためのWiFiサービス装置及びネットワークシステムに関する。
【背景技術】
【０００２】
一般的に、WiFiを介した無線インターネットサービスは、低コストで情報弱者や公共の場での情報へのアクセスが容易になっている中、次第に事業者からの屋外でWi-Fiサービスが増えたにも関わらず、現行のWiFi APは図1のように、無線領域の拡張及びインストールが容易でない構造を有している。
1)現行のWiFi装置は、デジタルネットワーク制御部(DCU)・送受信部wRU)共にセルサイトに設置する一体型構造を有している。
2)安定した電力供給と冷却のために、主に中型・大型建物の室内(Indoor)及び宅内に設置する構造である
【０００３】
WiFi APは、大容量データ処理とMIMO技術が導入され、次第にサイズ及び消費電力が増加し、また、これらのWiFi AP設置場所は屋内から屋外にますます拡大している。
また、最近、高密度ネットワーク環境と通信費負担を軽減のために公衆WiFiが増加し続け、屋外にWiFi装置が設置されることが次第に拡大している。また、WiFi APは、大容量データの伝送のためのMIMO技術の導入と大容量データを高速に処理するためのハイスペックのCPUが必要となり、WiFi APのサイズが大きくなり消費電力も継続的に増加している。
【０００４】
このようにサイズが大きく消費電力が増加しているWiFi APの屋外設置時には、専用の基地局(または筐体)、電力設備、エアコン導入などを各WiFi基地局毎に設置する必要があり、屋内においては、従来よりもより広い設置スペースが必要であり、かつ、屋外設置時の機器構築や設備の増加により発生する費用と所要時間が増大し、ユーザー負担の電気料金も毎月増える。 
【０００５】
このような状況の中、低コストで5Gレベルのサービスを提供するために、公衆Wi-Fi、WiFi To The Homeサービスの構築及び固定無線通信の運用のためのCAPEX/OPEXは増加するはずである。また、今後WiFi無線LANが進化・拡大すればするほど、セルサイズはますます小さくなり、より多くのサイトを構築・運用せざるをえないが、これは設備投資の増加につながるため、インターネットサービス提供事業者にとって大きな悩みの種になっている。
【０００６】
このような技術の進歩は、最近、WiFi標準規格であるIEEE802.311axに初めてWiFiの屋外用サービスについて規定され、第4次産業革命と5G時代のニーズに応える大容量、低遅延通信サービスが可能でありながらも低コストでWiFiサービスを提供することができる新たなWi-Fiの仕組みづくりが必要である。
また、5Gが導入される第4次産業革命の時代では、次第に固定無線アクセスの商用サービスを通じて、光ケーブル区間の一部を無線に置き換え、より多くの家庭やオフィス、公共の場に安価なギガ級超高速インターネットを普及するための新たな仕組みのWiFi AP技術提案が必要な実情である。
【発明の概要】
【発明が解決しようとする課題】
【０００７】
本発明は、上記従来技術の問題点を解決するために案出するものであり、WiFi AP装置一体型のDCU(Host CPUを含む)とwRUを分離して、それぞれのWiFi APにあった共通のDCUを運営局舎に集中させ管理し、無線信号が送受信される屋外及び屋内のWiFiサービスエリアには、wRUのみで対応を可能にすることにより、通信費負担の軽減と高品質の超高速無線通信を可能にする高密度ネットワーク環境のためのWiFiネットワークシステムを提供することを目的とする。
【課題を解決するための手段】
【０００８】
上記目的を達成するために、本発明は、デジタルコントローラ(Digital Controller)及びネットワーク・プロセッシング・ユニット(Network Processing Unit)を含むDNCU(Digital Networking＆Control Unit)と、WiFi無線送受信部(WiFi Radio)及びアンテナユニット(Antenna Unit)を含むwRSU(WiFi Radio Service Unit)が独立して分離されて有線で接続することを特徴とする。
【０００９】
ここで、上記DNCU及びwRSUの接続は、IEEE802.3プロトコル及びPCI(Peripheral Component Interconnect)プロトコルのいずれかを1つ以上含み、上記DNCU及びwRSUは光ケーブル、同軸ケーブル及びLANのケーブルからなる群から選択された少なくとも1つ以上互いに接続されることを特徴とする。
【００１０】
また、上記DNCUは、WiFi Driver、OS(Operating System)、TCP/IP及びアプリケーションのいずれか１つ以上が設置され、上記wRSUはWiFi F/W(FirmWare)、DNCU及びインタフェースのためのプログラムが設置されるが、一方で、上記DNCUはwRSUの物理的な接続のためのwRSUインターフェース部と、wRSU及び上位網と通信時にデータの低遅延及び制御のための低遅延ネットワークスイッチ及び制御用のプロセス部と、上位網にデータを伝達するためのパケットコアネットワークインタフェース部を含むことを特徴とする。
【００１１】
また、上記wRSUインターフェース部は、上記wRSUと通信するための第1送受信機、上記第1送受信機、低遅延ネットワークスイッチ及び制御用のプロセス部を接続させるための第1 PHY(Physical interface)を含み、上記低遅延ネットワークスイッチ及び制御用のプロセス部のファブリック容量はwRSUのインタフェース容量の総計とパケットコアネットワークインターフェース部の処理容量を合わせたものよりも大きいことを特徴とする。
【００１２】
また、上記パケットコアネットワークインターフェース部は、上位網と通信するための第2送受信機、上記第2送受信機と低遅延ネットワークスイッチ、制御用のプロセス部を接続するための第2PHYを含み、上記wRSUは、上位網と通信する無線信号を処理するためのRF部と、上記RF部で変復調された信号をDNCUに伝送するPHY部を含むことを特徴とする。
【００１３】
また、上記PHY部は、IEEE802.3標準を使用するIEEE802.3 PHY部とPCI標準を使用するPCI PHY部に分けられ、上記RF部は、アンプ及びフィルタが内蔵されたフロントエンドモジュールと、上記アンテナユニットを介して信号を送受信する送受信RFモジュールと、上記送受信RFモジュールから送信されるアナログ信号をデジタル信号に変換してPHY部送信し、PHY部から入力されるデジタル信号をアナログ信号に変換して送受信RFモジュールに伝送するベースバンドモデムを含むことを特徴とする。
また、上記DNCU及びwRSUは、IEEE802.3 PHYを使用したPHY to PHY方式と、IEEE802.3 PHY及びIEEE802.3 MACを使用したPHY to MAC方式と、IEEE802.3 MACを使用したMAC to MAC方式と、PCIe標準を含むPCIプロトコルを使用したPCI to PCI方式のうちの少なくともいずれか１つ以上によって互いに物理的に接続されることを特徴とする。
【発明の効果】
【００１４】
上記のような本発明に係る高密度ネットワーク環境のためのWiFiネットワークシステムは、DNCU(Digital Network＆Control Unit)及びwRSU(WiFi Radio Service Unit)を分離して、wRSUは、端末に無線周波数を使用して信号を送受信する装置でサービスサイトでは中継器の役割を担うようにし、DNCUはwRSUからケーブルを介して配信された無線信号がIPで通信することができるようPacketに変換して、L2/L3集線スイッチまたは上位装置に伝達することができる基地局の装備で運営局舎に集中して設置することができる。
【００１５】
したがって、大容量データ処理とMIMO技術の導入から次第にサイズ及び消費電力が増加している既存のWiFi APに設置する場合、電力使用量低減と空間活用が可能になり、公衆Wi-Fi及び屋内・屋外のワイファイ構築後に必要とされる通信維持費を低減することが可能である。
【００１６】
また、既存の装置からDCUの処理機能を１カ所に集中させることでWiFi APの価格を下げることができ、ネットワーク処理機能を１カ所に集中させることで、管理の効率化とメンテナンスの利便性を高める。
【００１７】
また、ハードウェア的に分離されることにより、既存のWiFi APと比較して構造が簡単なため故障率も低下する。
【００１８】
さらに、比較的安価なwRSUのみを追加設置することによりWiFi AP数が増加する効果がある。
【図面の簡単な説明】
【００１９】
【図１】図1は、従来のWiFi AP装置の一般的な構造を概略的に示す図である。
【図２】図2は、本発明に係る高密度ネットワーク環境のためのWiFiネットワークシステムのハードウェア構成を概略的に示す図である。
【図３】図3は、本発明に係る高密度ネットワーク環境のためのWiFiネットワークシステムのソフトウェア構成を概略的に示す図である。
【図４】図4は、本発明に係る高密度ネットワーク環境のためのWiFiネットワークシステムのDNCUのハードウェアを示すブロック図である。
【図５】図5は、本発明に係る高密度ネットワーク環境のためのWiFiネットワークシステムのDNCUの機能具現化のブロック図である。
【図６】図6は、本発明に係る高密度ネットワーク環境のためのWiFiネットワークシステムのwRSUの機能具現化のブロック図である。
【図７】図7は、本発明に係る高密度ネットワーク環境のためのWiFiネットワークシステムのDNSU及びwRSUを接続するための物理的インターフェース案を示した図である。
【図８】図8は、本発明に係る高密度ネットワーク環境のためのWiFiネットワークシステムを介して構成されるネットワークを示す図である。
【発明を実施するための形態】
【００２０】
本明細書及び請求の範囲で用いられる用語や単語は通常的又は辞書的な意味に限定して解釈されてはならず、発明者は自身の発明を最も最善の方法で説明するための用語の概念として適切に定義することができる原則に立脚して、本発明の技術的思想に符合する意味及び概念で解釈されるべきである。
【００２１】
したがって、本明細書に記載された実施例及び図面に示された構成は、本発明の最も好ましい実施例に過ぎず、本発明の技術的思想をすべて代弁するものではないため、本出願時点においてこれらを代替することができる様々な均等物及び変形例があり得ることを理解すべきである。
【００２２】
以下、図面を参照して、本発明に係る高密度ネットワーク環境のためのWiFiネットワークシステムを説明する。
図1は、従来のWiFi AP装置の一般的な構造を概略的に示す図である。
図1は、一般的なWiFi AP(Access Point)の構造であり、現在市販されているWiFi APのほとんどは、OSIの7階層またはTCP/IPの全階層を含んでいるが、これはデータサービスを提供する他のネットワーク機器が階層別の機能に応じて動作するものとは異なり、これによってS/Wの構造とH/W構造は複雑ではあるが、市場の競争が激しい無線加入者装置の特性上、商品の価格が次第に下がっており、事業者の立場としては、WiFI装置が次第に屋外でのサービスが増えるにもかかわらず、現行のWiFi APは無線サイトの拡張や設置が容易でない構造を有している。
【００２３】
図2は、本発明に係る高密度ネットワーク環境のためのWiFiネットワークシステムのハードウェアの構造を概略的に示す図であり、図3は、本発明に係る高密度ネットワーク環境のためのWiFiネットワークシステムのソフトウェアの構造を概略的に示す図である。
【００２４】
本発明は、基本的に分離されたDNCU(Digital Networking＆Control Unit)とwRSU(WiFi Radio Service Unit)を含めて構成している。
【００２５】
より具体的には、本発明は、デジタルコントローラ(Digital Controller)及びネットワーク・プロセッシング・ユニット(Network Processing Unit)を含むDNCUと、WiFi無線送受信部(WiFi Radio)及びアンテナユニット(Antenna Unit)を含むwRSUはそれぞれ分離して有線ケーブルで接続する。
【００２６】
すなわち、従来のWi-Fi APをチャネル処理及び制御するDNCU、アンテナ、アップダウンコンバータ、フィルタ、RFアンプ、RFトランシーバ、ベースバンドモデム等が含まれているwRSUに分類してサービスを行い、DNCU及びwRSU装置の接続は、拡張性と互換性を確保するために最も広く使われているIEEE802.3プロトコル、PCI(Peripheral Component Interconnect)プロトコルに従いながら、高速信号伝送が可能な光ケーブル、同軸ケーブル、無線LANケーブルなどの有線で接続する。
【００２７】
上記DNCUとwRSU間の接続方式は、後述するUWEI(Universal WiFi Ethernet Interface)プロトコルに従って通信を行い、ソフトウェア的にwRSUはWiFi F/W(FirmWare)、DNCU、インタフェースのためのプログラムを具備し、DNCUはWiFi Driver 、OS(Operating System)、TCP/IP、各種アプリケーション(Application)が搭載する構造を有する。
図4は、本発明に係る高密度ネットワーク環境のためのWiFiネットワークシステムのDNCUのハードウェアを示すブロック図であり、図5は、本発明に係る高密度ネットワーク環境のためのWiFiネットワークシステムのDNCUの機能具現化のブロック図である。
【００２８】
上記DNCUは、wRSUの物理的な接続のためのwRSUインターフェース部(wRSU Interface部)、wRSU、上位網と通信時にデータの低遅延、制御のための低遅延ネットワークスイッチ、制御用のプロセス部(System Control CPU＆Time Sensitive Networking Switch)及び上位網にデータを伝達するためのパケットコアネットワークインターフェース部(Packet Core Network Interface部)を含み、１台のDNCUが複数のwRSUを集約制御して、データを低遅延ネットワークスイッチ及び制御用のプロセス部を介して上位のパケットコアネットワークインターフェース部に伝達する役割を担う。
ここで、上記wRSUインターフェース部は、wRSUと通信するための第1送受信機、低遅延ネットワークスイッチ及び制御用のプロセス部を接続させるための第1PHY(Physical interface)を含む。
【００２９】
上記低遅延ネットワークスイッチ及び制御用のプロセス部は、wRSUから送信された信号から制御信号とデータ信号を分離し、データ信号を低遅延ネットワークスイッチ及び制御用のプロセス部で処理し、上位ネットワークに送信する。この時、低遅延ネットワークスイッチ及び制御用のプロセス部のファブリック容量はwRSUのインタフェース容量の総計とパケットコアネットワークインターフェース部の処理容量を合わせたものよりも大きい 。
【００３０】
上記パケットコアネットワークインターフェース部は、wRSUから届いたデータを集約して低遅延ネットワークスイッチ及び制御用のプロセス部で処理されたデータを上位のパケットコアネットワークに送信する。このためにはパケットコアネットワークインターフェース部の上位網と通信するための第2トランシーバー、第2トランシーバと低遅延ネットワークスイッチ、制御用のプロセス部を接続させるための第2PHYを含む。
上記DNCUの機能としては、トポロジー管理、ネットワークリソースの管理、サービス管理、ネットワーク設定管理、wRSU設定と運用管理、L2/L3低遅延スイッチングなどがある。
【００３１】
図6は、本発明に係る高密度ネットワーク環境のためのWiFiネットワークシステムのwRSUの機能具現化のブロック図である。
上記wRSUは、上位網と通信する無線信号を処理するためのRF部と、RF部で変復調された信号をDNCUに伝送するPHY部を含む。すなわち、RF部とRFで変復調された信号をDNCUに送信するPHY部構成される。
上記PHY部IEEE802.3標準を使用するIEEE802.3 PHY部とPCI標準を使用するPCI PHY部に分けることができる。
【００３２】
ここで、上記RF部は、アンプ及びフィルタが内蔵されたフロントエンドモジュールと、アンテナユニットを介して信号を送受信する送受信RFモジュールと、送受信RFモジュールから送信されるアナログ信号をデジタル信号に変換してPHY部送信し、PHY部から入力されるデジタル信号をアナログ信号に変換して送受信RFモジュールに伝送するベースバンドモデムを含む
【００３３】
上記送受信RFモジュールは、wRSU内部のベースバンドモデムに電気的に接続され、アンテナユニットを介して受信したデータ信号をベースバンドモデムに伝達し、DNCUから受信したデータを、アンテナユニットを介して外部に送信する。
上記ベースバンドモデムは、送受信RFモジュールから入力される信号のうち、アナログ信号の場合、アナログ・デジタル変換部でデジタル信号に変換してPHY部伝送し、PHY部で入力されたデジタル信号は、デジタル・アナログ変換部から変換して送受信RFモジュールに伝送するようになり、ベースバンドモデムから伝達された信号は、PHY部PHYとトランシーバを介してDNCUに伝送される。
【００３４】
また、上記PHY部PCI標準を使用するwRSUは、送受信された無線信号をRF部で処理した後、PCI PHY部に伝送し、RF部から入力される信号のうちのアナログ信号は、アナログ・デジタル変換部のベースバンドモデムでデジタル信号に変換してPCI PHYに伝送し、PCI PHYで入力されたデジタル信号は、デジタル・アナログ変換部のベースバンドモデムで変換して送受信RFモジュールに伝達し、ベースバンドモデムから伝達された送受信信号は、PCI PHY部PCIとトランシーバを介してDNCUに伝送する。
【００３５】
図7は、本発明に係る高密度ネットワーク環境のためのWiFiネットワークシステムのDNSU及びwRSUを接続するための物理的インターフェース案を示した図である。
【００３６】
図7を参照すると、wRSUとDNCUの接続のための物理的なインターフェースの接続方法として、IEEE802.3プロトコルに従ってUniversal Wi-Fi Ethernet Interface(UWEI)を提案しており、wRSUとDNSUが物理的に機能が分離されているため、この両方の装置が物理的に接続して通信を可能にする4つのUWEIプロトコルを以下のように定義した。
【００３７】
一番目は、IEEE802.3 PHYを使用してPHY To PHYに接続する方法で、伝送するデータの容量は多いが低遅延伝送が可能であり、最も安価で実装可能である。
【００３８】
二番目は、IEEE802.3 PHYとIEEE802.3 MACを使用してPHY To MACに接続する方法で、伝送するデータの容量は少ないがPHY To PHY接続よりも多少の遅延が発生する。
【００３９】
三番目は、IEEE802.3 MACを使用してMAC To MACに接続する方法で、伝送するデータの容量は少ないがPHY To PHY接続よりも多少遅延が発生するが、他機器との互換性が一番高、実装の容易な接続方式である。
【００４０】
四番目は、コンピュータ装置間の接続の標準であるPCIまたはPCIeプロトコルに従うPCI To PCI接続方法で、伝送するデータの容量は最も多く、データの伝送遅延は最も少ないが、長距離伝送が不可能であり、両装置間の近距離設置時に適用可能である。
【００４１】
上記DNCUは、いかなるUWEIの実装においても、PCI層またはMAC層、RLC(Radio Link Control)層、TCP/ IP層、アプリケーション層の共通層を含む。
【００４２】
図8は、本発明に係る高密度ネットワーク環境のためのWiFiネットワークシステムを介して構成されるネットワークを示す図である。
図8を参照すると、サービス提供のための遠隔地にwRSUが設置され、局舎にはDNCUがCloud型として設置され、これらの装置は互いにUWEIインタフェースで接続される。
局舎にDNCUをCloud型で配置することにより、遠隔地に対して追加設定なしでwRSUの迅速な増設が可能であり、かつ、Cloud DNCUは多数のwRSUを収容するようになり、Cloud DNCU間の制御情報を共有することができるため、無線リソースの効率的な管理を通じた干渉除去とソフトハンドオーバーサービス提供をすることができる。
【００４３】
また、WiFi装置をDNSUとwRSUに分離して、デジタル処理機能を一カ所に集中させることによりWiFi装置を低価格で供給し、最近急増しているトラフィックをより高速にネットワークプロセスの処理が可能であり、何よりもDNSUの効率を高めることできる。
また、比較的安価なwRSUのみを追加設置することによりWiFi AP数が増加する効果があり、これらの組み合わせによって端末が密集する環境において最適なWi-Fiサービスを低コストかつ迅速な拡張が可能なWiFi無線接続ネットワークを提供することができる。
【００４４】
以上、添付の図面を参照して、本発明を特定の形状及び方向を中心に説明したが、本発明は、当業者によって様々な変形又は変更が可能であり、このような変形又は変更は、本発明の権利範囲に属すると解釈すべきである。
【図１】
2020526047.tif 000003
【図２】
2020526047.tif 000004
【図３】
2020526047.tif 000005
【図４】
2020526047.tif 000006
【図５】
2020526047.tif 000007
【図６】
2020526047.tif 000008
【図７】
2020526047.tif 000009
【図８】
2020526047.tif 000010
【国際調査報告】
2020526047.tif 000011
2020526047.tif 000012
2020526047.tif 000013
2020526047.tif 000014